(57)【特許請求の範囲】
【請求項１】
複数の成分の分配装置と共に使用される混合・分配ノズルにおいて、前記材料の少なくとも第一及び第二の成分を導入すべく少なくとも２つの通路を備え、分配開口部と、遷移面と、管状の本体部分とを有する前端部分と、少なくとも一対の入口を有し、該入口の各々が貫通する中央通路を有する後端部分と、それ自体の固有の弾性により通常の閉じた位置に偏倚され且つ前記入口により提供された前記通路の開口部を覆う少なくとも２つの弁リーフレットとを組み合わせ、前記後部壁の内面と前記弁リーフレットとの間に形成された少なくとも１つの取り付け点を備え、前記リーフレットが、流入する液体発泡成分の力によりその通常の閉じた位置から偏倚し得るようにされており、前記少なくとも２つの弁リーフレットが単一の弁体の部分として形成され、前記少なくとも１つの取り付け点が、前記ノズルの前記後端壁にボスとして形成され、そして取り付け開口部が前記弁体に形成されていると共に、更に中央ステムを有するバッフルを備え、前記取り付け点が、前記弁体に係合する前記ステムの一部を備えていることを特徴とする混合・分配ノズル。
【請求項２】
複数の成分の分配装置と共に使用される混合・分配ノズルにおいて、前記材料の少なくとも第一及び第二の成分を導入すべく少なくとも２つの通路を備え、分配開口部と、遷移面と、管状の本体部分とを有する前端部分と、少なくとも一対の入口を有し、該入口の各々が貫通する中央通路を有する後端部分と、それ自体の固有の弾性により通常の閉じた位置に偏倚され且つ前記入口により提供された前記通路の開口部を覆う少なくとも２つの弁リーフレットとを組み合わせ、前記後部壁の内面と前記弁リーフレットとの間に形成された少なくとも１つの取り付け点を備え、前記リーフレットが、流入する液体発泡成分の力によりその通常の閉じた位置から偏倚し得るようにされており、前記少なくとも２つの弁リーフレットが単一の弁体の部分として形成され、前記少なくとも１つの取り付け点が、前記ノズルの前記後端壁にボスとして形成され、そして取り付け開口部が前記弁体に形成されていると共に、更に前記中央ステムが、前記ノズルの後部壁に隣接するカラーを備え、該カラーがその中央の周りで前記弁組立体に係合することを特徴とする混合・分配ノズル。
【請求項３】
請求項１または２に記載のノズルにおいて、前記対の入口が分配装置内で受け入れ得るようにされた一対のニップルの形態をしている、ノズル。
【請求項４】
請求項１〜３のいずれか１項に記載の分配ノズルにおいて、前記端部壁に形成された前記ボスが、前記弁体の前記中央部分の前記開口部の上方に位置し且つ前記弁体を所定位置に固着する拡張径の頭部分を備える、ノズル。
【請求項５】
混合・分配ノズルにおいて、全体として管状の本体部分と、縮小径の出口部分と、前記後部壁の後端から外方に伸長する少なくとも一対の入口開口部を有する後端部分であって、前記入口開口部を取り巻く少なくとも２つの比較的平坦な領域にて終わるさら穴部分を有する後部壁の内面を備える後端部分と、前記入口開口部の各々を覆い且つ前記さら穴領域よりも少なくとも僅かだけ小さい弁リーフレットと、締め付け接続部を有する前記さら穴領域の少なくとも別の部分とを備え、使用中、弁リーフレットが、前記入口における外部圧力よりも高圧の内部圧力の作用を受けたとき、前記入口を覆う所定の位置に留まると共に、前記弁リーフレットが単一の弁体に形成され、締め付け接続部を有する前記領域の一部が前記弁リーフレットの間に少なくとも部分的に配置された単一の領域を備え、前記締め付け接続部が接着剤接続部を備える、ノズル。
【請求項６】
混合・分配ノズルにおいて、全体として管状の本体部分と、縮小径の出口部分と、前記後部壁の後端から外方に伸長する少なくとも一対の入口開口部を有する後端部分であって、前記入口開口部を取り巻く少なくとも２つの比較的平坦な領域にて終わるさら穴部分を有する後部壁の内面を備える後端部分と、前記入口開口部の各々を覆い且つ前記さら穴領域よりも少なくとも僅かだけ小さい弁リーフレットと、締め付け接続部を有する前記さら穴領域の少なくとも別の部分とを備え、使用中、弁リーフレットが、前記入口における外部圧力よりも高圧の内部圧力の作用を受けたとき、前記入口を覆う所定の位置に留まると共に、前記弁リーフレットが単一の弁体に形成され、少なくとも２つの比較的平坦な領域が比較的平坦な４つの領域を備え、前記領域の２つが、前記弁体の一部と前記ノズルの前記後端部壁との間に接着剤接続部の形態をした前記締め付け接続部を保持する、ノズル。
【請求項７】
混合・分配ノズルにおいて、全体として管状の本体部分と、縮小径の出口部分と、前記後部壁の後端から外方に伸長する少なくとも一対の入口開口部を有する後端部分であって、前記入口開口部を取り巻く少なくとも２つの比較的平坦な領域にて終わるさら穴部分を有する後部壁の内面を備える後端部分と、前記入口開口部の各々を覆い且つ前記さら穴領域よりも少なくとも僅かだけ小さい弁リーフレットと、締め付け接続部を有する前記さら穴領域の少なくとも別の部分とを備え、使用中、弁リーフレットが、前記入口における外部圧力よりも高圧の内部圧力の作用を受けたとき、前記入口を覆う所定の位置に留まると共に、前記弁リーフレットが、単一の弁体の端部分として形成され、前記締め付け接続部が、前記後部壁にボスを備え、前記ノズルが、中央ステムを有するバッフルと、カラーとを更に備え、該カラーが前記ボスの上方を伸長し且つ前記弁体を所定位置に固着する、ノズル。
【請求項８】
混合・分配ノズルにおいて、全体として管状の本体部分と、縮小径の出口部分と、前記後部壁の後端から外方に伸長する少なくとも一対の入口開口部を有する後端部分であって、前記入口開口部を取り巻く少なくとも２つの比較的平坦な領域にて終わるさら穴部分を有する後部壁の内面を備える後端部分と、前記入口開口部の各々を覆い且つ前記さら穴領域よりも少なくとも僅かだけ小さい弁リーフレットと、締め付け接続部を有する前記さら穴領域の少なくとも別の部分とを備え、使用中、弁リーフレットが、前記入口における外部圧力よりも高圧の内部圧力の作用を受けたとき、前記入口を覆う所定の位置に留まると共に、前記弁リーフレットが単一の弁体の端部分として形成され、前記ノズルが、混合バッフルと、中央ステムとを更に備え、前記締め付け接続部が、前記後部壁におけるボスと、その上方を伸長し且つ前記弁体を所定位置に固着するカラーとを備える、ノズル。
【請求項９】
混合・分配ノズルにおいて、全体として管状の本体部分と、縮小径の出口部分と、前記後部壁の後端から外方に伸長する少なくとも一対の入口開口部を有する後端部分であって、前記入口開口部を取り巻く少なくとも２つの比較的平坦な領域にて終わるさら穴部分を有する後部壁の内面を備える後端部分と、前記入口開口部の各々を覆い且つ前記さら穴領域よりも少なくとも僅かだけ小さい弁リーフレットと、締め付け接続部を有する前記さら穴領域の少なくとも別の部分とを備え、使用中、弁リーフレットが、前記入口における外部圧力よりも高圧の内部圧力の作用を受けたとき、前記入口を覆う所定の位置に留まると共に、前記弁リーフレットが単一の弁体の上に端部として形成され、前記ノズルが、その内部のバッフルと、前記後部壁に開放する第三の入口と、前記後部壁の前記第三の入口開口部を取り巻くボスとを更に備え、前記バッフル組立体が中空のステムを備え、該ステムが、前記ボスの周りを伸長し且つ前記弁体を所定位置に保持する働きをするカラーを更に備える、ノズル。
【請求項１０】
請求項９に記載のノズルにおいて、前記後部壁に第三の入口開口部を備え、ボスが前記開口部を取り巻き、前記ノズルが、中空のステムを有するバッフルを備え、該中空のステムの一部分が前記ボスを取り巻き且つ前記弁体を所定の位置に保持する、ノズル。
【請求項１１】
混合・分配ノズルにおいて、全体として管状の本体部分と、縮小径の出口部分と、前記後部壁の後端から外方に伸長する少なくとも一対の入口開口部を有する後端部分であって、前記入口開口部を取り巻く少なくとも２つの比較的平坦な領域にて終わるさら穴部分を有する後部壁の内面を備える後端部分と、前記入口開口部の各々を覆い且つ前記さら穴領域よりも少なくとも僅かだけ小さい弁リーフレットと、締め付け接続部を有する前記さら穴領域の少なくとも別の部分とを備え、使用中、弁リーフレットが、前記入口における外部圧力よりも高圧の内部圧力の作用を受けたとき、前記入口を覆う所定の位置に留まると共に、前記弁リーフレットが全体として十字形の弁体の２つの端部分から形成され、前記リーフレットの２つが前記入口開口部を覆い、前記リーフレットの少なくとも２つの他方が追加的な領域内に伸長し、前記追加的な領域及び該領域内に伸長するリーフレットの前記部分が接着剤により取り付けられる、ノズル。
【発明の詳細な説明】
【０００１】
【発明の背景】
本発明は、全体として、混合・分配ノズル、より具体的には、多成分系、特に、ウレタンフォームに使用される、いわゆるクロスオーバ防止又はクロスオーバ抵抗型ノズルに関する。特に、本発明は、共にスナップ嵌めする２つの主要な要素と、ノズルの全体を構成する２つの追加的な要素又は構成要素とを備える、容易に取り付け可能で且つ使い捨て可能なノズルに関する。本発明によれば、ノズルは、非反応性のフォーム材と共に再使用可能であり、又は、溶剤で洗浄することにより再度、使用することができる。本発明による、かかるノズルは、クロスオーバ防止機能部分と、スナップ嵌め組立体との双方を備えており、使用時、フォーム材を分配するフォームガンのような分配装置、又はビード、噴霧又は発泡絶縁材又は同様の材料のフィレットを分配するその他の装置と関係付けられる。
【０００２】
従来の技術において、かかる分配装置と共に使用するため、多数のノズルが利用可能となっている（その殆どは、一般にガンと称されている）。しかしながら、かかるノズルの全てではないにしても、その殆どは、使用時、いわゆるクロスオーバを防止する固有の機能部分を備えていない。これは、また、成形したスナップ嵌め型式構造のものでもない。２成分ウレタンガンにおいて、イソシアネート成分及び樹脂成分の双方は、供給圧力下にて、使い捨て型の混合ノズルに計測供給される。かかる装置は、例えば、使い捨て型すなわちスローアウェイノズルを有する２成分発泡材ガンとして商業的に成功した最初のものである、ブルックス（Ｂｒｏｏｋｓ）の特許第３，７８４，１１０号の譲受人により製造されたものがある。
【０００３】
短時間（１．５分乃至２分）の後、混合体を構成する成分又はその他の熱硬化剤がノズル内で反応して硬化し且つ蓄積し、これにより、更なる混合、特に、反応剤を比混合することを困難にし又は不可能にするから、使い捨て型の低コストのノズルは、多成分を混合し且つ計測量供給する装置にとって重要である。適正に機能するガンにて使用されたとき、混合ノズルは、簡単に取り外され且つ捨てられる。この技術は、洗浄のため、コスト高で且つ有害となる可能性のある溶剤を使用することを回避する
１回の使用時、イソシアネート成分及び樹脂成分は、所定の比率にて同時に、混合ノズルに導入される。この比は、装置の設計、反応剤の化学的性質、及び特に、ノズル通路内に達するオリフィスの寸法、成分が保たれる供給圧力により決まる。
【０００４】
エアロゾル型反応剤を使用する１つの方法において、分配装置の引金部を引くと、２つの弁が同時に開いて、所望の比率の各成分は、材料の供給力によりノズルオリフィスを通じて、混合・分配ノズル内に噴射される。混合・分配ノズルに入ったならば、その双方の材料は、瞬間的に圧力が降下し、材料中のガスをそのガスが混合ノズルの混合要素に沿って進むとき、急激に膨張させる。この材料の膨張は、渦流を生じさせ、反応剤がノズルの混合経路に沿って前方に進むとき、混合を続ける。この混合は、成分間にて化学的反応を生じさせ、このことは、反応剤を重合化させることになる。
【０００５】
重合化する塊がノズルから出るとき、重合化反応を通じて形成されたエネルギ及びガスの発生と共に、この塊には、吹出す材料の供給圧力、蒸発に起因する大きい力が加わる。ノズルから出るとき、反応する材料の排出パターンは、多数のノズルの幾何学的形態の任意のものによって画成し且つ制御することができ、用途に対応して、大きい力の噴霧パターン、又は遥かに小さい力の注入パターンとなる。
【０００６】
特許第５，５２９，２４５号に記載された技術の別の方法において、非エアロゾル型の反応剤を本明細書に記載したように混合ノズルを通じて処理する。この方法において、非エアロゾル材料は一度び作動されたならば、分配装置を通じて且つ供給圧力を介し、本発明の混合ノズル内に供給される。２つの材料は、ノズルオリフィスを通じて材料の供給圧力により混合ノズル内に噴射される。混合ノズルに入ったならば、材料がミキサーを通って進むとき材料は渦流により混合される。
【０００７】
この混合は、ノズル内で化学的反応を生じさせ、また、幾つかの発泡材料の場合、反応中にＣＯ2が発生され、重合化する塊を膨張させることになる。この方法において、噴霧パターンが所望であるならば、第三のガス流をノズルを通じて材料が出る先端まで供給する。このガス流は、混合した重合化材料を基板上に噴霧するのを助けるために使用される。上述した実施の形態におけるように、反応材料は、多数のノズルの幾何学的形態の任意のものにより画成することができる。
【０００８】
過去の経験から、旧式の混合ノズルの設計には幾つかの欠点があることが分かった。従来の混合ノズルの設計において、混合の過程中、１つ以上の反応剤が後方に分配装置の通路内に流れる機会が可能となる状況がある。
【０００９】
この後方への流れは、分配装置内に化学的反応状態を形成し又はその状態を許容し、分配装置の通路が反応した材料で詰まることになる。一般に、「クロスオーバ」と称されるこの状況は、こうした型式の分配装置を使用する場合に製品が不良となる主要な原因である。分配装置の通路が詰まったならば、その装置は、１つ又は別の通路が完全に又は部分的に閉塞する結果、完全に使用不能となり、又は少なくとも成分を「比」計測供給することが不可能となる。
【００１０】
クロスオーバの機会を生じさせる幾つかの一般的な状態がある。最も一般的な状態の１つは、装置の作動を最初に開始したとき、操作者分配装置への双方の供給ラインを開放し損なった場合に生ずる。このため、分配装置を作動させたとき、１つの成分のみが混合チャンバに入る。この時点で、弁の他の供給ポート又はミキサーの入口から競合する圧力又は流れは全く生ぜず、その結果、ミキサー内の単一の成分が他の入口通路から出て分配装置内まで後方に流れるのを防止するものは何も存在しない。
【００１１】
操作者が１つの成分しか流動しないことに気づいたならば、その者はその問題を理解する。次に、操作者は第二の供給弁を開け且つ分配装置をそれ以前に供給されなかった第二の成分にて加圧する。この時点にて、第二の成分は、分配装置の弁内の第一の成分と混合し且つホース内の「クロスオーバした」成分と混合し、これにより、反応を生じさせ且つ分配装置を汚すことになる。
【００１２】
第二の状況は、操作者がそれ以前に使用し且つ詰まったノズル又は部分的に詰まったノズルを有する分配装置を作動させるときに生じる。この時点にて、装置内の圧力に従い、ノズルには、より多くの反応剤が充填されるが、ノズルの出口通路は閉塞する。このことは、反応剤が反応し且つ混合ノズル内で高圧を発生させる状況を生じさせる。
【００１３】
排出先端が閉塞しているため、反応剤はノズルの端部から排出することができず、従って、膨張する材料はノズル内で強制的に拡張する状態を続ける。この時点にて、操作者がノズルを突き出さずに分配装置の引金部を引いたならば、反応材料が分配装置内に逆流することに起因してクロスオーバ状態が生ずる。この後方への駆動力は、分配装置に供給するライン圧力と比較したとき、ノズル内により高圧が存在することにより形成される。特に、満杯でなく且つ／又はより高圧もない携帯型の装置を使用するとき、ノズル内でこの型式のクロスオーバ中に形成された圧力は供給圧力を上廻り且つ反応する材料を分配装置内に後方に推進させ、これにより、分配装置を汚す可能性がある。
【００１４】
第三のクロスオーバ状態は、２つの圧力流の間に単に圧力差が生ずる結果として存在し、この場合、一方の流れは他方を上廻るのに十分に強力であり、さもなければ低圧すなわちより弱い圧力下にてノズル内に付勢されるであろう成分の後方流れ状態を生じさせる。このことは、古い又は略使い切った容器と共に新たな容器が使用される場合に特に、生ずる。この状況は、供給ポンプを使用し、ポンプが故障する場合にも生ずる。
【００１５】
従って、本発明の１つの目的は、ウレタン発泡材又は同様の多発成分系用の改良にかかる混合・分配ノズルを提供することである。
本発明の別の目的は、一方の構成要素を他方の構成要素の内部にスナップ嵌めする簡単な方法により組立て、これにより、クロスオーバ防止弁が所定の位置に固着された状態で、第三の構成要素を分配装置内に取り込むことができる混合・分配ノズルの構成要素を提供することである。
【００１６】
本発明の更に別の目的は、通常、分配装置すなわちガン内への材料の後方への流れを遮断する働きをする内部の組みの弁リーフレットを保持する混合・分配ノズルを提供することである。
【００１７】
本発明の更に別の目的は、装置を使用したとき、クロスオーバにより汚染を制限するリーフレット型弁と共に、容易に組み立てることができる多数要素ノズルの組み合わせ体を提供することである。
【００１８】
本発明の更に別の目的は、中央背骨部分の周りに配置されたベーンとの組立てを容易にし得るように弁の構成要素の１つの後部壁に係合する背骨部分を有するバッフル混合要素を含む多数要素ノズルを提供することである。
【００１９】
本発明の更に別の目的は、ポリプロピレン、ポリエステル等のような薄いプラスチック膜シートにて製造された単一のリーフレットを有する、複数の入口の各々に対する弁を提供することである。
【００２０】
本発明の追加的な目的は、リーフレットの中央部分をノズルの後壁に取り付ける、熱的に溶接され又は機械的に或いは接着剤により添着された部分の両側部に配置された一対のリーフレットを備える単一の弁組立体を提供することである。
【００２１】
本発明の別の目的は、共にスナップ嵌めし、また、ノズル本体に翼部分又は指把持ハンドルを有するノズルを提供することである。更に別の目的は、緊密な装着を保証すべく部分の間に成形したリブ又はガスケットを有するスナップ嵌め式構造体を提供することである。
【００２２】
本発明は、その目的及び有利な点を２つの方法にて達成する。第一のものは、オプション的な翼部分すなわち指把持部分を備える、混合・分配ノズル用の伸縮式スナップ動作型組立体を提供するものであり、もう一方のものは、２つ以上の入口開口部に対し、好ましくはリーフレットの形態をした弁を提供し、弁リーフレットが開口部の上を伸長し該開口部をそれ自体の固有の弾性により閉じ、混合ノズル内の内部圧力により強制的に閉じた状態を保つようにすることである。これと同時に、流入する液体成分の力により容易に開放し、弁のリーフレットが熱的取り付け、接着剤又は機械的な取り込みによりノズルの後部壁に添着されることが好ましい。
【００２３】
上記の目的及び有利な点が実際に達成される方法は、一例として以下に記載し且つ全体を通じて同様の部品を同様の参照番号で表示する添付図面に図示するように、本発明の好ましい実施の形態の詳細な説明に関連して参照するとき、一層明らかになるであろう。
【００２４】
【発明の好ましい実施の形態の説明】
本発明は、多数の異なる形態にて具体化可能であり、また、図示したノズルの形態と共に、多少相違する型式のガンを使用することができることが理解され、また、本発明は、殻体が２つの要素構造体であるが、クロスオーバ防止弁が存在しない、またその逆である、ノズルを備えることができることが理解される一方、本発明は、分配装置が現在の好ましい型式のガンである場合について説明しねまた、構造及び作動の双方の特徴を含むノズルを図示する。同様に、ガン以外の分配装置は、本発明のノズルを使用することができ、「ガン」という語は、色々な型式の分配装置を含むその広い意味にて解釈されるべきである。
【００２５】
次に、全体として、図面、特に、図１及び図２を参照すると、ノズル１２と、全体として参照番号１４で示したガン本体と、ハンドル１６と、引金部１８と、引金部戻しばね２０と、安全装置２２とを有する、ガンが全体として参照番号１０で表示されている。更に、該ガンは、ノズル用の掛止及び係止機構を保持しており、また、その前端部分に設けられた爪３０を有するレバー２８を作動させる親指操作釦２６を含む状態で示してある。
【００２６】
レバーは、点２４の周りを回動し、また、別の使用位置にあるとき、エジェクター３１はノズルをガンから強制的に取り外す働きをする。ガンは、反応性製品を保持する２本のホース３２により供給され、また、オプション的に、推進剤（又は追加的な推進剤）用にその下方に配置された別のホース（図示せず）を備えることができる。
【００２７】
更に、図２に図示したガン本体１４は、ノズル１２の拡張径部分３８を受け入れる受入れ部３６を備えている。該ノズルは、爪３０が係合し得るように操作者の指でノズル肩部４２を位置決めし且つ着座させ得るように操作することのできる一対の翼部分４０又は指把持部を備える状態で示してある。
【００２８】
ホース３２、３４は、レデューサ４６の付け合い端部に係合する前端部分４４を備える一方、該レデューサ４６は、中空の弁座５０を圧縮する中空のねじ４８に係合する。この装置は、例えば、ポリエチレン又はＰＴＦＥのような変形可能な材料で出来ている。その他の便宜な手段を使用して同等の効果を得ることができる。弁座は、その内部の中央に位置する通路５３を有するスプール５２と緊密に係合する。スプール５２は、スプールの端部に設けられた耳状突起５４を通じて引金部１８により作動され、該耳状突起には、引金部１８の分岐部分５８のスロット５６が係合する。
【００２９】
スプール弁５２（図２）は、本体１４の開口部６０内を動く。該スプール弁は、作用可能な位置にあるとき、その中央通路５３と整合するように回転し、ガン本体の出口通路６８と整列する位置となる。ノズル１２の後端６４におけるニップル６２は、通路６８内に緊密ではあるが、取り外し可能に嵌まる。
【００３０】
次に、ノズル１２、特に図３乃至図６を参照すると、この装置は、全体として参照番号７０で示した内側の前方ノズル要素と、全体として参照番号７２で示した拡張径の後部キャップという２つの要素から成る殻体を備えている。例えば、図３に図示するように、ノズル１２の前端は、典型的に、縮小径の出口端部７４と、テーパー付きの中間の側壁部分７６と、全体として円筒状の形態をした拡張径部分７８とから成っている。拡張した円筒状部分７８の端部付近には、耳状突起又は指把持部４０を画成する形成部分がある。このノズル部分は、また、以下に説明する目的のため可撓性の掛止め部８０と、形成された２つのリセス部８１とを備えている。少なくとも６つの他の形態のノズルを使用することができるが、それらノズルの相違点は、その分配開口部の形状及びその他の細部の点にあり、これらは本発明の範囲に属するものである。
【００３１】
ノズル１２の拡張径部分７２は、後端部壁８２と、各々が複数の密封リブ８４を有することが好ましい実質的に同一の一対のニップル６２、６３とを備えている。ニップル６２、６３の各々は、成分用の入口通路９８、１００を備えており、これら入口通路のオリフィス寸法は、同一又は相違するものとすることができる。ノズル１２の拡張径部分７２の前端は、可撓性の掛止め部８０の真後ろにてリセス部８１内に緊密に嵌まる一対のあご状部分８６又は同様の形成部分を備えている。肩部面８８が拡張径端部７２に形成され、縮小径の円筒状部分７８の背面９０に係合する。これらの肩部は、端部壁８２から約６．３５ｍｍ（約１／４インチ）乃至１２．７ｍｍ（１／２インチ）の距離にて合わさり、以下に説明する弁リーフレットの隙間を許容することが好ましい。潰れて、ノズル１２の構成要素７８、７２の間に緊密なシールを形成する周縁ビード部８９（図４）が設けられる。内側スリーブ７８は、圧力下にて僅かに膨張し、外側スリーブ７２により緊密に係合する。
【００３２】
次に、ノズル１２の内部を参照すると、反対方向を向いた一対のリーフレット９２、９４が図示されており、該一対のリーフレットは、その端部分にかしめ止めされたリベット頭部９７を有する組み合わせポスト９６によりノズル１２の背面８２に接続されたクロスオーバ防止弁の作用可能な部分を形成する。
【００３３】
代替例において、熱シールを使用することができる。かかる場合、リーフレット９２、９４を製造したプラスチック材料は、エチレンビニルアセテート（ＥＶＡ）層のような接着剤又は低融点被覆材で被覆されている。１つの実施の形態におけるリーフレット９２、９４は、生来の弾性を有する０．１２７ｍｍ（０．００５インチ）ポリエステルシート材料のような薄いプラスチック材料の単一のシートで製造されており、該リーフレットが数回、使用した後でさえ繰り返し反発することを可能にする。リーフレットＥＶＡ又は同様の低融点の層を有するポリエステルで製造するならば、これらリーフレットは、熱密封によりノズルの他の部分に接続することができる。第三の代替例として、接着剤を使用してもよい。
【００３４】
次に、図６を参照すると、全体として参照番号１０２で示したミキサー組立体が、ノズル１２ａに対する所定位置に図示されている。該ミキサーは、中央ステム１０６を取り巻く複数のベーン１０４を備えている。この実施の形態において、ステム１０６の一部分１０８は、ポスト９６の上に嵌まり且つリーフレットを所定位置に固着するのを助ける。１つの実施の形態において、端部分１０８は、リベット頭部９７に置換する働きをする。
【００３５】
次に、本発明の使用方法について説明する。ノズル組立体は簡単で且つ単純である。バッフル組立体１０２がノズル１２の前側構成要素７０内に配置されている。次に、２つの構成要素を整合状態に配置し、前側構成要素を後側に押し、後側構成要素をあご状部分８６が可撓性の掛止め部８０に係合する迄、前方に押す。このことは、バッフルのステム１０６の後端部分１０８をポスト９６の拡張頭部９７に対して強固に押し付ける効果もある。該ポストは、リーフレット９２、９４を所定の位置に保持する。代替例において、頭部９７は完全に省略してもよい。
【００３６】
ガン１０内に古いノズル１２があると仮定するならば、親指操作パッド２６を押すことにより、レバー２８を作動させ、これにより、エジェクター３１が古いノズルを突き出し、ガンに新たなノズルを挿入し得る用意が整うようにする。翼部分又は指係合部分により新たなノズルを把持し且つニップルが貫通路６２に係合する状態でガンの後部に向けて付勢させたとき、ノズルは、ニップルのリブ８４により形成された僅かな抵抗力に抗して後方まで摺動する。この動作は、必然的に、エジェクター３１を下方に押し且つ爪３０と係合させる。その時点にてガンは作動させ得るのに適した状態となる。
【００３７】
ガンを使用することを望む場合、引金部１８を後方に引張り、これにより、スプール５２を回転させ、その内部の通路５３がガン本体の出口通路６８と整合されるようにする。次に、液体成分がチャンバ内に流れ、弁リーフレットを図４の略位置まで動かす。ウレタン発泡材を形成する液体成分がノズル内に流れ、引金部を放すと、リーフレットは閉じた位置に向かい勝ちとなり、この場合にも再度、発泡材料の次の射出を待つ。
【００３８】
しかしながら、ノズルの詰まりを含む何らかの理由のため、双方の供給ラインを作動させることができないか又は、一方の供給ラインの圧力が低い場合、影響を受けたリーフレットは閉じた位置に留まり、他の材料が当該通路に入るのを防止する。材料が通路に入るならば、再度、ガン本体内で反応及び動揺が生じ、ガンは不規則に機能することとなる。少なくとも、このためにはガンを完全に洗浄することを必要とし、最悪であれば、ガンは捨てなければならない。発泡材は熱硬化性発泡材であることを想起するならば、このことは、難点又は問題を生じる可能性がある。通路が閉塞することは、混合体の化学量論を覆し、ノズルから出る発泡材の量を、望ましい量よりも少なくする。
【００３９】
次に、図７乃至図９を参照すると、本発明の別の実施の形態が図示されている。この場合、図９において、４つのリーフ付き弁部材が全体として参照番号４００で図示されている。脚部３２６、３２８の２つは接着剤の被覆が施されており、他の２つの脚部３１２には接着剤が存在しない。截頭円錐形のポスト３３３（図７）が貫通して伸長する中央開口部３３１が設けられている。リーフレット４００は、ノズル２１２の後部壁２８２に形成されたウェル又はさら穴部分３１０の底面に配置されている。
【００４０】
ウェル又はさら穴３１０は、例えば、各々が弁リーフレットの形状に略対応する４つの部分に形成することが好ましい。一度び所定位置に配置されたならば、弁リーフレットは、３２６、３２８で図示するように接着剤で保持することができ、又は弁体は、カラー３３０により所定位置に保持することができ、該カラーは、開口部３３１を取り巻き且つ弁リーフレット截頭円錐形のポスト３３３の上方の所定の位置に保持する。カラー３３０は、該カラーを装置の組み立て中、所定位置に押し付けたとき、リーフレットを下方に保持する。望ましいように、カラーは、接着剤と共に使用し、又は接着剤無しで使用することができる。
【００４１】
リーフレット３２６、３２８が下方に接着される間に、リーフレット３１２をウェル３１０内で可動に配置することを理由として、これらリーフレットは極めて確実に取り付けられる。使用時、液体成分はリップル２６２、２６３の入口通路２９８、３００を通って進む。ニップル３０２における通路３２２は、中央管２９９をその出口２９７まで上昇して流れ、この出口にて反応する成分と混合されるガス等に対する入口を提供する。
【００４２】
１つの代替的な構造において、バッフルに達する成分は発泡されず、背骨部分３０６の通路２９９の中央穴の端部２９７から出るガスにより凍結され又は発泡させることができる。この動作は、側壁２７６、２７４により画成されたチャンバ２７７内で生ずる。
【００４３】
この適用例の他の部分は、全体として参照番号２１２で示したノズルが一対の翼部分２４０を有する点で先の実施の形態と同様である。２つのあご状部分１８６の各々は、翼部分の根元部分２４０内でリセス部２８１内に嵌まる。ノズル装置２１２は、拡張径の後側要素２７２と縮小径の円筒状部分２７８と、テーパー付きの中間の側壁部分２７６と、縮小径の出口２７４とを備えている。更に、該装置は、肩部２８８にて円筒体２７８の端部１９０と合わさる後端壁２８２を有している。これらの面は、ノズルを完全に組み立てたときに整列し、カラー３３０は、弁組立体４００に対して確実に所定の位置にある。該ノズルは、その内部に中空の中央ステム３０６を取り巻く複数のバッフル３０４を備えている。ステム３０６は、拡張径のカラー３３０にて終わり、中央通路３２２、２９９は互いに整合している。弁４００、９２、９４を製造するにはプラスチックが好ましいが、その他の適当な材料を使用することができる。例えば、金属フォイル又はフィルムを使用することができる。
【００４４】
この構造体の別の特徴は、リテーナ−突き出し機構２８の爪３０がノズル１２を所定の位置に保持する仕方にある。端部キャップではなくて、ノズル本体の前側構成要素にホルダ２０１にグリップ部を設けることにより、これらを構成要素の間の接合部が破断しても、ノズルの前方部分は前方に当接し、これにより中身が流れ出すことを許容しない。
【００４５】
このように、本発明は、機械的に取り込むことにより所定位置に保持された一対のリーフレット弁と、熱シール又は接着剤とを有する新奇な多数要素ノズルを提供し、上記に記載した有利な点及び特徴並びに本発明の性質に伴うその他の多数の特徴を備えることが理解されよう、本発明の改変例及び変更例は、当業者に明らかであろうし、本発明の精神又は特許請求の範囲から逸脱せずに、上述した本発明の形態にかかる改変例及び変更を加え得ると予想される。
【図面の簡単な説明】
【図１】  通常、共に使用される分配ガンと関係した状態で示す、本発明のノズルの斜視図である。
【図２】  本発明のガン及びノズルの特定の部分を示す、一部平面図且つ一部断面図とした部分図である。
【図３】  弁が閉じた使用状態にあり且つ弁をその着座した位置に戻す作用をする荷重又は力を概略図で示す、スナップ嵌め式の２つの要素の殻体構造を示す、本発明によるノズルの１つの形態の縦断面図である。
【図４】  クロスオーバ防止弁が開放位置にあり、ノズルの構成要素の間に追加的な密封効果を提供する１つの好ましいリブの形態を示す、図３と同様の一部平面図且つ一部断面図とした部分図である。
【図５】  弁及び弁通路を仮想線で示す、図３の線５−５に沿った断面図である。
【図６】  装置内の所定位置にある混合要素と共に示し、弁リーフレットの締め付け機構を固着し、ノズルへの僅かに相違する排出端を示し、一方を実線で且つもう一方を仮想線で示す２つの異なる位置にある弁リーフレットを示す、本発明のノズルの別の形態の断面図である。
【図７】  本発明の改変したノズルの縦断面図である。
【図８】  図７の線８−８に沿ったノズルのノズルの端部分の平面図である。
【図９】  図７及び図８のリーフレットを示す端部から見た平面図である。
【図１】
0004454853.tif 000002
【図２】
0004454853.tif 000003
【図３】
0004454853.tif 000004
【図４】
0004454853.tif 000005
【図５】
0004454853.tif 000006
【図６】
0004454853.tif 000007
【図７】
0004454853.tif 000008
【図８】
0004454853.tif 000009
【図９】
0004454853.tif 000010